(57)【要約】      （修正有）【課題】表面滑走具において、動力の出力が持続的に有効で、滑走段階における滑走具自体の抵抗を低減することにより、滑走距離が長く、持続性が高く、普及しやすい滑走方法を提供する。【解決手段】座板１、Ｕ字型棒部材２、滑走板３、Ｈ字型連結フレーム４、推進装置５、手動チェーンホイール６及びステアリングギア７からなり、該座板１の上端面の一端に背もたれを設け、該座板１の他端の側壁にＵ字型棒部材２を設け、該座板１の下端に該Ｈ字型連結フレーム４を介して２枚の滑走板３を平行かつ対称的に設け、２つの該Ｈ字型連結フレーム４の間に該推進装置５を回転可能に設け、該手動チェーンホイール６を支持棒を介して該Ｕ字型棒部材２の上端に設けた氷面滑走具による滑走方法。【選択図】図１
2020124499.tif 000002
【特許請求の範囲】
【請求項１】
滑走具を氷面に置き、ユーザが座板（１）に座って、氷面から両足を離し、手動チェーンホイール（６）の回転レバーを両手で握るステップａと、
両手で手動チェーンホイール（６）を反時計回りに加速回転させ、手動チェーンホイール（６）がチェーンを駆動し、かつステアリングギア（７）のステアリング作用でチェーンホイール（５−２）を駆動して反時計回りに加速回転させ、チェーンホイール（５−２）が回転軸（５−１）を介してラチェット（５−３−２）を駆動して反時計回りに回転させ、位置制限部材（５−３−３）によるラチェット（５−３−２）の位置制限作用でディスク（５−３−１）を駆動して反時計回りに加速回転させ、ディスク（５−３−１）が円筒部（５−３−４）、連結板（５−３−５）及び環状ディスク（５−３−６）を介して伝動棒（５−３−７）及び摩擦部材（５−３−１０）を駆動して反時計回りに加速回転させるステップｂと、
円錐台部（５−４−１）内の貫通キャビティ（５−４−２）の雌ねじがリターンスプリング（５−４−５）の引っ張り力の作用で、回転しない回転軸（５−１）上に設けられた雄ねじに当接して、円錐台部（５−４−１）のＨ字型連結フレーム（４）への移動を制限し、回転軸（５−１）を反時計回りに回転すると、回転軸（５−１）の雄ねじが貫通キャビティ（５−４−２）の雌ねじと噛み合うことにより、貫通キャビティ（５−４−２）の雌ねじが回転軸（５−１）の雄ねじの他方側に位置してリターンスプリング（５−４−５）の作用で当接するまで、円錐台部（５−４−１）が位置制限棒（５−４−４）に沿ってＨ字型連結フレーム（４）の方向へ移動し、円錐台部（５−４−１）がＨ字型連結フレーム（４）に近づく方向へ移動する場合、台形の位置制限ブロック（５−３−８）がディスク（５−３−１）及び第１の圧力スプリング（５−３−９）の作用で回転軸（５−１）に近づくことにより、摩擦部材（５−３−１０）が棒軸の周りに回転して、摩擦部材（５−３−１０）の摩擦端がディスク（５−３−１）と環状ディスク（５−３−６）の間から螺出し、螺出した摩擦部材（５−３−１０）の最外端が、回転軸（５−１）の反時計回りの回転により、加速回転している摩擦部材（５−３−１０）と氷面とに力の作用を生じさせ、氷面と作用するときの摩擦部材（５−３−１０）の線速度が滑走具の滑走速度より大きい場合、摩擦部材（５−３−１０）の回転により滑走具に動力を提供し、滑走具の速度が０から徐々に増加して加速滑走するステップｃと、
速度が一定期間増加した後、滑走具が滑走する必要がある場合、摩擦部材（５−３−１０）が慣性のため、ディスク（５−３−１）及び環状ディスク（５−３−６）とともに反時計回りに回転し続け、摩擦部材（５−３−１０）と氷面とに依然として力の作用を生じさせ、氷面と作用するときの摩擦部材（５−３−１０）の線速度が滑走具の滑走速度より小さい場合、摩擦部材（５−３−１０）の回転により滑走具に動力ではなく、抵抗を提供し、この場合、両手で手動チェーンホイール（６）を時計回りに高速回転させ、手動チェーンホイール（６）がチェーンを駆動し、かつステアリングギア（７）のステアリング作用でチェーンホイール（５−２）を駆動して時計回りに加速回転させ、チェーンホイール（５−２）が回転軸（５−１）を介してラチェット（５−３−２）を駆動して時計回りに回転させ、位置制限部材（５−３−３）がラチェット（５−３−２）の時計回りの回転を制限できず、この場合、ディスク（５−３−１）及び摩擦部材（５−３−１０）が慣性のため、反時計回りに回転し続けるステップｄと、
円錐台部（５−４−１）内の貫通キャビティ（５−４−２）の雌ねじがリターンスプリング（５−４−５）の圧力作用で回転軸（５−１）上の雄ねじに当接し、回転軸（５−１）を時計回りに回転すると、回転軸（５−１）の雄ねじが貫通キャビティ（５−４−２）の雌ねじと噛み合うことにより、貫通キャビティ（５−４−２）の雌ねじが回転軸（５−１）の雄ねじの他方側に位置してリターンスプリング（５−４−５）の作用で当接するまで、円錐台部（５−４−１）が位置制限棒（５−４−４）に沿ってＨ字型連結フレーム（４）から離れる方向へ移動し、円錐台部（５−４−１）がＨ字型連結フレーム（４）から離れる方向へ移動する場合、台形の位置制限ブロック（５−３−８）がディスク（５−３−１）及び第１の圧力スプリング（５−３−９）の作用で回転軸（５−１）から離れることにより、摩擦部材（５−３−１０）が棒軸の周りに回転して、摩擦部材（５−３−１０）の摩擦端がディスク（５−３−１）と環状ディスク（５−３−６）の間に螺入し、回転している摩擦部材（５−３−１０）と氷面との力の作用を解除して、滑走具の抵抗を解除することにより、滑走がより持続的になるステップｅと、
緊急時に滑走具を減速する必要がある場合、手動チェーンホイール（６）を両手で反時計回りにゆっくりと回転させ、手動チェーンホイール（６）がチェーンを駆動し、かつステアリングギア（７）のステアリング作用でチェーンホイール（５−２）を駆動して反時計回りに加速回転させ、チェーンホイール（５−２）が回転軸（５−１）を介してラチェット（５−３−２）を駆動して反時計回りに回転させ、位置制限部材（５−３−３）によるラチェット（５−３−２）の位置制限作用でディスク（５−３−１）を駆動して反時計回りに加速回転させ、ディスク（５−３−１）が円筒部（５−３−４）、連結板（５−３−５）及び環状ディスク（５−３−６）を介して伝動棒（５−３−７）及び摩擦部材（５−３−１０）を駆動して反時計回りに加速回転させ、回転軸（５−１）を反時計回りに回転すると、回転軸（５−１）の雄ねじが貫通キャビティ（５−４−２）の雌ねじと噛み合うことにより、貫通キャビティ（５−４−２）の雌ねじが回転軸（５−１）の雄ねじの他方側に位置してリターンスプリング（５−４−５）の作用で当接するまで、円錐台部（５−４−１）が位置制限棒（５−４−４）に沿ってＨ字型連結フレーム（４）に近づく方向へ移動し、円錐台部（５−４−１）がＨ字型連結フレーム（４）に近づく方向へ移動する場合、台形の位置制限ブロック（５−３−８）がディスク（５−３−１）及び第１の圧力スプリング（５−３−９）の作用で回転軸（５−１）に近づくことにより、摩擦部材（５−３−１０）が棒軸の周りに回転して、摩擦部材（５−３−１０）の摩擦端がディスク（５−３−１）と環状ディスク（５−３−６）の間から螺出して、氷面と力の作用を生じさせ、手動チェーンホイール（６）をゆっくりと回転させることにより、氷面と作用するときの摩擦部材（５−３−１０）の線速度が滑走具の滑走速度より小さい場合、摩擦部材（５−３−１０）の回転により滑走具に動力ではなく、抵抗を提供して、滑走具を減速するステップｆとを含むことを特徴とする氷面滑走方法。
【請求項２】
円錐台部（５−４−１）内の貫通キャビティ（５−４−２）の雌ねじがリターンスプリング（５−４−５）の引っ張り力の作用で、回転しない回転軸（５−１）上に設けられた雄ねじに当接して、円錐台部（５−４−１）のＨ字型連結フレーム（４）への移動を制限し、回転軸（５−１）を反時計回りに回転すると、回転軸（５−１）の雄ねじが貫通キャビティ（５−４−２）の雌ねじと噛み合うことにより、貫通キャビティ（５−４−２）の雌ねじが回転軸（５−１）の雄ねじの他方側に位置してリターンスプリング（５−４−５）の作用で当接するまで、円錐台部（５−４−１）が位置制限棒（５−４−４）に沿ってＨ字型連結フレーム（４）の方向へ移動し、円錐台部（５−４−１）がＨ字型連結フレーム（４）に近づく方向へ移動する場合、台形の位置制限ブロック（５−３−８）がディスク（５−３−１）及び第１の圧力スプリング（５−３−９）の作用で回転軸（５−１）に近づくことにより、摩擦部材（５−３−１０）が棒軸の周りに回転して、摩擦部材（５−３−１０）の摩擦端がディスク（５−３−１）と環状ディスク（５−３−６）の間から螺出し、螺出した摩擦部材（５−３−１０）の最外端が、回転軸（５−１）の反時計回りの回転により、加速回転している摩擦部材（５−３−１０）と氷面とに力の作用を生じさせ、氷面と作用するときの摩擦部材（５−３−１０）の線速度が滑走具の滑走速度より大きい場合、摩擦部材（５−３−１０）の回転により滑走具に動力を提供し、滑走具の速度が０から徐々に増加して加速滑走することを特徴とする氷面加速滑走方法。
【請求項３】
摩擦部材（５−３−１０）は慣性のため、ディスク（５−３−１）及び環状ディスク（５−３−６）とともに反時計回りに回転し続け、摩擦部材（５−３−１０）は依然として氷面と力の作用を生成し、氷面と作用するときの摩擦部材（５−３−１０）の線速度が滑走具の滑走速度より小さい場合、摩擦部材（５−３−１０）は回転により滑走具に動力ではなく、抵抗を提供し、この場合、両手で手動クランク（６）を時計回りに高速回転させ、手動クランク（６）はチェーンを駆動し、かつステアリングギア（７）のステアリング作用によってクランク（５−２）を時計回りに加速回転するように駆動し、クランク（５−２）は回転軸（５−１）を介してラチェット（５−３−２）を時計回りに回転するように駆動し、位置制限部材（５−３−３）はラチェット（５−３−２）の時計回りの回転を制限できず、この場合、ディスク（５−３−１０）及び摩擦部材（５−３−１０）は慣性のため、反時計回りに回転し続けることを特徴とする慣性による氷面滑走方法。
【請求項４】
テーパ形のテーブル（５−４−１）内の貫通キャビティ（５−４−２）の雌ねじは、リターンスプリング（５−４−５）の圧力作用によって回転軸（５−１）上の雄ねじに当接し、回転軸（５−１）を時計回りに回転すると、回転軸（５−１）の雄ねじは貫通キャビティ（５−４−２）の雌ねじと噛み合うことにより、テーパ形のテーブル（５−４−１）は位置制限レバー（５−４−４）に沿ってＨ字状の接続フレーム（４）から離れる方向へ移動し、貫通キャビティ（５−４−２）の雌ねじが回転軸（５−１）の雌ねじの他方側に位置するまで継続し、かつリターンスプリング（５−４−５）の作用で当接して、テーパ形のテーブル（５−４−１）はＨ字状の接続フレーム（４）から離れる方向へ移動し、台形の位置制限ブロック（５−３−８）は、ディスク（５−３−１）及び第１の圧力スプリング（５−３−９）の作用下で回転軸（５−１）から離れることにより、摩擦部材（５−３−１０）はレバー軸の周りを回転して、摩擦部材（５−３−１０）の摩擦端はディスク（５−３−１）と環状ディスク（５−３−６）の間に回転しながら入り、回転している摩擦部材（５−３−１０）と氷面の力の作用を解除して、滑走具の抵抗を解除することにより、滑走がより耐久性があることを特徴とする慣性による氷面滑走方法。
【請求項５】
手動チェーンホイール（６）を両手で反時計回りにゆっくりと回転させ、手動チェーンホイール（６）がチェーンを駆動し、かつステアリングギア（７）のステアリング作用でチェーンホイール（５−２）を駆動して反時計回りに加速回転させ、チェーンホイール（５−２）が回転軸（５−１）を介してラチェット（５−３−２）を駆動して反時計回りに回転させ、位置制限部材（５−３−３）によるラチェット（５−３−２）の位置制限作用でディスク（５−３−１）を駆動して反時計回りに加速回転させ、ディスク（５−３−１）が円筒部（５−３−４）、連結板（５−３−５）及び環状ディスク（５−３−６）を介して伝動棒（５−３−７）及び摩擦部材（５−３−１０）を駆動して反時計回りに加速回転させ、回転軸（５−１）を反時計回りに回転すると、回転軸（５−１）の雄ねじが貫通キャビティ（５−４−２）の雌ねじと噛み合うことにより、貫通キャビティ（５−４−２）の雌ねじが回転軸（５−１）の雄ねじの他方側に位置してリターンスプリング（５−４−５）の作用で当接するまで、円錐台部（５−４−１）が位置制限棒（５−４−４）に沿ってＨ字型連結フレーム（４）に近づく方向へ移動し、円錐台部（５−４−１）がＨ字型連結フレーム（４）に近づく方向へ移動する場合、台形の位置制限ブロック（５−３−８）がディスク（５−３−１）及び第１の圧力スプリング（５−３−９）の作用で回転軸（５−１）に近づくことにより、摩擦部材（５−３−１０）が棒軸の周りに回転して、摩擦部材（５−３−１０）の摩擦端がディスク（５−３−１）と環状ディスク（５−３−６）の間から螺出して、氷面と力の作用を生じさせ、手動チェーンホイール（６）をゆっくりと回転させることにより、氷面と作用するときの摩擦部材（５−３−１０）の線速度が滑走具の滑走速度より小さい場合、摩擦部材（５−３−１０）の回転により滑走具に動力ではなく、抵抗を提供して、滑走具を減速することを特徴とする氷面滑走緊急減速方法。
【発明の詳細な説明】
【技術分野】
【０００１】
本発明は、滑走具の技術分野に属し，具体的には氷面滑走方法に関する。
【背景技術】
【０００２】
中国の北方の冬には、どこでも氷雪の世界である。氷雪は、北方の人々にとってよい条件に恵まれている財産である。北方の人々は氷雪が大好きで、文化的な観点から氷雪の資源をよく見て、独特の氷雪文化を作り出す。氷雪を十分に利用して、氷雪観光文化を積極的に発展させることができるが、どのように氷雪の世界を観光客にもっと楽しんでもらうかは重要な問題になる。氷面滑走具によっては、観光客はすぐに氷面滑走を楽しみ、氷雪の魅力を感じることができる。アイススレッジなどの従来の滑走具に対して、アイススレッジを駆動して前へ滑走させるために、氷面に一端が鋭い鉄製スティックで刺す必要がある。それは特定の技術を必要とし、危険性があり、動力が低く、滑走距離が短く、持続性の体験が悪いため、広い普及に不利である。モータで動力出力を提供する滑走装置もあるが、電力をどのように供給するかという問題があり、また、寒い気候で電力貯蔵に不利であるため、電力供給時間が短く、動力の持続性が低く、広い普及にも不利であるという問題がある。したがって、本発明は、動力出力の問題を解決する氷面滑走具を提供する。
【発明の概要】
【０００３】
本発明は、上記従来技術の欠点を克服し、座板、Ｕ字型棒部材、滑走板、Ｈ字型連結フレーム、推進装置、手動チェーンホイール及びステアリングギアを十分に組み合わせることで、動力の出力が持続的に有効であるとともに、滑走段階における滑走具自体の抵抗を低減することにより、滑走距離が長く、持続性が高く、普及しやすいという効果を達成する氷面滑走方法を提供する。これらに鑑み、本発明は、構造が簡単で、設計が合理的であり、少なくとも動力の出力及び持続性が低く、広く普及しにくいという問題を解決する氷面滑走具を提供する。
【０００４】
本発明の技術手段は以下のとおりである。
【０００５】
氷面滑走具は、座板、Ｕ字型棒部材、滑走板、Ｈ字型連結フレーム、推進装置、手動チェーンホイール及びステアリングギアを含み、前記座板の上端面の一端に背もたれが設けられ、前記座板の他端の側壁にＵ字型棒部材が設けられ、前記座板の下端に２枚の滑走板が平行かつ対称的に設けられ、滑走板がＨ字型連結フレームを介して座板の下端面に連結され、２つのＨ字型連結フレームの間に推進装置が回転可能に設けられ、前記手動チェーンホイールが支持棒を介してＵ字型棒部材の上端に設けられ、前記手動チェーンホイールと推進装置がチェーンを介して接続され、チェーンがＵ字型棒部材をを通ってステアリングギアと噛み合い、手動チェーンホイールを手動で反時計回りに回転させて推進装置を駆動して、滑走具の加速段階に動力を提供し、手動チェーンホイールを手動で時計回りに回転させて、推進装置による滑走具の滑走段階における抵抗を解除し、
推進装置は、回転軸、チェーンホイール、回転装置及び位置調整装置を含み、前記回転軸が２つのＨ字型連結フレームに回転可能に設けられ、前記回転軸に順雄ねじと逆雄ねじが対称的に設けられ、回転軸にチェーンホイール、回転装置及び位置調整装置が設けられ、前記チェーンホイールの両端に、外側に向かって順に回転装置と位置調整装置が対称的に設けられ、位置調整装置は、一端がＨ字型連結フレームに連結され、他端が回転装置と協働し、前記回転装置は、回転軸とともに反時計回りに回転するが、回転軸とともに時計回りに回転することができず、２つの位置調整装置間の距離は、回転軸の回転方向を制御することにより制御され、前記回転軸が反時計回りに回転すると、対称的に設けられた２つの位置調整装置間の距離を増加させ、距離が増加した位置調整装置は、回転装置と協働して、回転装置と氷面との力の作用を高めて、滑走具の滑走に動力を提供し、前記回転軸が時計回りに回転すると、対称的に設けられた２つの位置調整装置間の距離を低減し、距離が低減した位置調整装置は、回転装置と協働して、回転装置と氷面との力の作用を解除して、滑走具の滑走抵抗を低減する。
【０００６】
好ましくは、前記回転装置は、ディスク、ラチェット、位置制限部材、円筒部、連結板、環状ディスク、伝動棒、台形の位置制限ブロック、第１の圧力スプリング及び摩擦部材を含み、前記ディスクが軸受を介して回転軸に設けられ、ラチェットがディスクと回転軸の間に設けられ、ディスクの内側壁の中心に２つの位置制限部材が対称的に設けられ、位置制限部材がラチェットに噛み合い、ディスクの外側壁が円筒部、複数の連結板及び棒軸を介して環状ディスクに連結され、複数の連結板がディスクの外側壁に環状に配列され、連結板に貫通孔が開口し、円筒部の側壁に、複数の連結板の貫通孔に対応するように複数の貫通孔が配列して開口し、伝動棒は、一端が台形の位置制限ブロックに連結され、他端が第１の圧力スプリングをを通ってヒンジマウントを介して摩擦部材に連結され、摩擦部材が棒軸に回転可能に設けられ、第１の圧力スプリングは、一端が連結板に連結され、他端が伝動棒上の位置制限片に連結される。
【０００７】
好ましくは、前記位置調整装置は、円錐台部、位置制限棒及びリターンスプリングを含み、前記円錐台部の中央に貫通キャビティが開口し、貫通キャビティ内に雌ねじが設けられ、貫通キャビティの両端に位置制限キャビティが対称的に開口し、平行かつ対称的に設けられた位置制限棒は、一端がＨ字型連結フレームに設けられ、他端が位置制限キャビティ内に設けられ、円錐台部は、外側壁が回転軸上のリターンスプリングを介してＨ字型連結フレームに連結され、傾斜側壁が台形の位置制限ブロックに当接する。
【０００８】
好ましくは、前記位置制限部材は、固定ブロック、連結棒、第２の圧力スプリング、ストッパ片及び位置制限ブロックを含み、前記固定ブロックがディスクの側壁に設けられ、固定ブロックに溝が開口し、溝の上端に貫通孔が開口し、前記連結棒が溝及び貫通孔内に移動可能に設けられ、連結棒の他端が溝内の圧力スプリング及びストッパ片を通って位置制限ブロックに連結され、制限ブロックがラチェットに噛み合い、第２の圧力スプリングの両端がそれぞれ溝の上壁とストッパ片に連結されることを特徴とする。
【０００９】
好ましくは、前記摩擦部材は、スラット、位置制限ストリップ、Ｕ字型フレーム及び第３の圧力スプリングを含み、前記棒軸にスラットと位置制限ストリップが回転可能に設けられ、スラットの両端の側壁に位置制限ストリップが対称的に設けられ、スラットの後部側壁がヒンジマウントを介して伝動棒に連結され、Ｕ字型フレームがディスクと環状ディスクとの間に移動可能に設けられ、Ｕ字型フレームの２つの垂直側壁にいずれもストリップ状キャビティが開口し、位置制限ストリップがストリップ状キャビティ内に移動可能に設けられ、スラットの前部側壁が、対称的に設けられた第３の圧力スプリングを介してＵ字型フレームの底部内壁に連結される。
【００１０】
氷面滑走具用の回転装置は、ディスク、ラチェット、位置制限部材、円筒部、連結板、環状ディスク、伝動棒、台形の位置制限ブロック、第１の圧力スプリング及び摩擦部材を含み、前記ディスクが軸受を介して回転軸に設けられ、ラチェットがディスクと回転軸の間に設けられ、ディスクの内側壁の中心に２つの位置制限部材が対称的に設けられ、位置制限部材がラチェットに噛み合い、ディスクの外側壁が円筒部、複数の連結板及び棒軸を介して環状ディスクに連結され、複数の連結板がディスクの外側壁に環状に配列され、連結板に貫通孔が開口し、円筒部の側壁に、複数の連結板の貫通孔に対応するように複数の貫通孔が配列して開口し、伝動棒は、一端が台形の位置制限ブロックに連結され、他端が第１の圧力スプリングをを通ってヒンジマウントを介して摩擦部材に連結され、摩擦部材が棒軸に回転可能に設けられ、第１の圧力スプリングは、一端が連結板に連結され、他端が伝動棒上の位置制限片に連結される。
【００１１】
氷面滑走具用の位置調整装置は、円錐台部、位置制限棒及びリターンスプリングを含み、前記円錐台部の中央に貫通キャビティが開口し、貫通キャビティ内に雌ねじが設けられ、貫通キャビティの両端に位置制限キャビティが対称的に開口し、平行かつ対称的に設けられた位置制限棒は、一端がＨ字型連結フレームに設けられ、他端が位置制限キャビティ内に設けられ、円錐台部は、外側壁が回転軸上のリターンスプリングを介してＨ字型連結フレームに連結され、傾斜側壁が台形の位置制限ブロックに当接する。
【００１２】
氷面滑走具用の位置制限部材は、固定ブロック、連結棒、第２の圧力スプリング、ストッパ片及び位置制限ブロックを含み、前記固定ブロックがディスクの側壁に設けられ、固定ブロックに溝が開口し、溝の上端に貫通孔が開口し、前記連結棒が溝及び貫通孔内に移動可能に設けられ、連結棒の他端が溝内の圧力スプリング及びストッパ片を通って位置制限ブロックに連結され、制限ブロックがラチェットに噛み合い、第２の圧力スプリングの両端がそれぞれ溝の上壁とストッパ片に連結される。
【００１３】
氷面滑走具用の摩擦部材は、スラット、位置制限ストリップ、Ｕ字型フレーム及び第３の圧力スプリングを含み、前記棒軸にスラットと位置制限ストリップが回転可能に設けられ、スラットの両端の側壁に位置制限ストリップが対称的に設けられ、スラットの後部側壁がヒンジマウントを介して伝動棒に連結され、Ｕ字型フレームがディスクと環状ディスクとの間に移動可能に設けられ、Ｕ字型フレームの２つの垂直側壁にいずれもストリップ状キャビティが開口し、位置制限ストリップがストリップ状キャビティ内に移動可能に設けられ、スラットの前部側壁が、対称的に設けられた第３の圧力スプリングを介してＵ字型フレームの底部内壁に連結される。
【００１４】
氷面滑走方法は、
滑走具を氷面に置き、ユーザが座板に座って、氷面から両足を離し、手動チェーンホイールの回転レバーを両手で握るステップａと、
両手で手動チェーンホイールを反時計回りに加速回転させ、手動チェーンホイールがチェーンを駆動し、かつステアリングギアのステアリング作用でチェーンホイールを駆動して反時計回りに加速回転させ、チェーンホイールが回転軸を介してラチェットを駆動して反時計回りに回転させ、位置制限部材によるラチェットの位置制限作用でディスクを駆動して反時計回りに加速回転させ、ディスクが円筒部、連結板及び環状ディスクを介して伝動棒及び摩擦部材を駆動して反時計回りに加速回転させるステップｂと、
円錐台部内の貫通キャビティの雌ねじがリターンスプリングの引っ張り力の作用で、回転しない回転軸上に設けられた雄ねじに当接して、円錐台部のＨ字型連結フレームへの移動を制限し、回転軸を反時計回りに回転すると、回転軸の雄ねじが貫通キャビティの雌ねじと噛み合うことにより、貫通キャビティの雌ねじが回転軸の雄ねじの他方側に位置してリターンスプリングの作用で当接するまで、円錐台部が位置制限棒に沿ってＨ字型連結フレームの方向へ移動し、円錐台部がＨ字型連結フレームに近づく方向へ移動する場合、台形の位置制限ブロックがディスク及び第１の圧力スプリングの作用で回転軸に近づくことにより、摩擦部材が棒軸の周りに回転して、摩擦部材の摩擦端がディスクと環状ディスクの間から螺出し、螺出した摩擦部材の最外端が、回転軸の反時計回りの回転により、加速回転している摩擦部材と氷面とに力の作用を生じさせ、氷面と作用するときの摩擦部材の線速度が滑走具の滑走速度より大きい場合、摩擦部材の回転により滑走具に動力を提供し、滑走具の速度が０から徐々に増加して加速滑走するステップｃと、
速度が一定期間増加した後、滑走具が滑走する必要がある場合、摩擦部材が慣性のため、ディスク及び環状ディスクとともに反時計回りに回転し続け、摩擦部材と氷面とに依然として力の作用を生じさせ、氷面と作用するときの摩擦部材の線速度が滑走具の滑走速度より小さい場合、摩擦部材の回転により滑走具に動力ではなく、抵抗を提供し、この場合、両手で手動チェーンホイールを時計回りに高速回転させ、手動チェーンホイールがチェーンを駆動し、かつステアリングギアのステアリング作用でチェーンホイールを駆動して時計回りに加速回転させ、チェーンホイールが回転軸を介してラチェットを駆動して時計回りに回転させ、位置制限部材がラチェットの時計回りの回転を制限できず、この場合、ディスク及び摩擦部材が慣性のため、反時計回りに回転し続けるステップｄと、
円錐台部内の貫通キャビティの雌ねじがリターンスプリングの圧力作用で回転軸上の雄ねじに当接し、回転軸を時計回りに回転すると、回転軸の雄ねじが貫通キャビティの雌ねじと噛み合うことにより、貫通キャビティの雌ねじが回転軸の雄ねじの他方側に位置してリターンスプリングの作用で当接するまで、円錐台部が位置制限棒に沿ってＨ字型連結フレームから離れる方向へ移動し、円錐台部がＨ字型連結フレームから離れる方向へ移動する場合、台形の位置制限ブロックがディスク及び第１の圧力スプリングの作用で回転軸から離れることにより、摩擦部材が棒軸の周りに回転して、摩擦部材の摩擦端がディスクと環状ディスクの間に螺入し、回転している摩擦部材と氷面との力の作用を解除して、滑走具の抵抗を解除することにより、滑走がより持続的になるステップｅと、
緊急時に滑走具を減速する必要がある場合、手動クランクを両手で反時計回りにゆっくりと回転させて、手動クランクがチェーンを駆動し、かつステアリングギアのステアリング作用によってクランクを反時計回りに加速回転するように駆動し、クランクが回転軸を介してラチェットを反時計回りに加速回転するように駆動し、位置制限部材がラチェットに対する位置制限作用でディスクを反時計回りに加速回転するように駆動し、ディスクがシリンダ、接続板及び環状ディスクを介して伝動レバー及び摩擦部材を反時計回りに加速回転するように駆動し、回転軸を反時計回りに回転すると、回転軸の雄ねじが貫通キャビティの雌ねじと噛み合うことにより、テーパ形のテーブルが位置制限レバーに沿ってＨ字状の接続フレームに近づく方向へ移動し、貫通キャビティの雌ねじが回転軸の雌ねじの他方側に位置するまで継続し、かつリターンスプリングの作用で当接して、テーパ形のテーブルがＨ字状の接続フレームに近づく方向へ移動する場合、台形の位置制限ブロックがディスク及び第１の圧力スプリングの作用下で回転軸に近づくことにより、摩擦部材がレバー軸の周りを回転して、摩擦部材の摩擦端がディスクと環状ディスクの間から繰り出し、氷面と力の作用を生成し、手動クランクをゆっくりと回転させることにより、氷面と作用するときの摩擦部材の線速度が滑走具の滑走速度より大きい場合、摩擦部材が回転により滑走具に動力ではなく、抵抗を提供して、滑走具を減速するステップｆとを含む。
【００１５】
好ましくは、氷面滑走具によって実現される。
【００１６】
氷面加速滑走方法は、両手で手動チェーンホイールを反時計回りに加速回転させ、手動チェーンホイールがチェーンを駆動し、かつステアリングギアのステアリング作用でチェーンホイールを駆動して反時計回りに加速回転させ、チェーンホイールが回転軸を介してラチェットを駆動して反時計回りに回転させ、位置制限部材によるラチェットの位置制限作用でディスクを駆動して反時計回りに加速回転させ、ディスクが円筒部、連結板及び環状ディスクを介して伝動棒及び摩擦部材を駆動して反時計回りに加速回転させる。
【００１７】
氷面加速滑走方法は、円錐台部内の貫通キャビティの雌ねじがリターンスプリングの引っ張り力の作用で、回転しない回転軸上に設けられた雄ねじに当接して、円錐台部のＨ字型連結フレームへの移動を制限し、回転軸を反時計回りに回転すると、回転軸の雄ねじが貫通キャビティの雌ねじと噛み合うことにより、貫通キャビティの雌ねじが回転軸の雄ねじの他方側に位置してリターンスプリングの作用で当接するまで、円錐台部が位置制限棒に沿ってＨ字型連結フレームの方向へ移動し、円錐台部がＨ字型連結フレームに近づく方向へ移動する場合、台形の位置制限ブロックがディスク及び第１の圧力スプリングの作用で回転軸に近づくことにより、摩擦部材が棒軸の周りに回転して、摩擦部材の摩擦端がディスクと環状ディスクの間から螺出し、螺出した摩擦部材の最外端が、回転軸の反時計回りの回転により、加速回転している摩擦部材と氷面とに力の作用を生じさせ、氷面と作用するときの摩擦部材の線速度が滑走具の滑走速度より大きい場合、摩擦部材の回転により滑走具に動力を提供し、滑走具の速度が０から徐々に増加して加速滑走する。
【００１８】
好ましくは、氷面滑走具によって実現される。
【００１９】
慣性による氷面滑走方法は、摩擦部材が慣性のため、ディスク及び環状ディスクとともに反時計回りに回転し続け、摩擦部材と氷面とに依然として力の作用を生じさせ、氷面と作用するときの摩擦部材の線速度が滑走具の滑走速度より小さい場合、摩擦部材の回転により滑走具に動力ではなく、抵抗を提供し、この場合、両手で手動チェーンホイールを時計回りに高速回転させ、手動チェーンホイールがチェーンを駆動し、かつステアリングギアのステアリング作用でチェーンホイールを駆動して時計回りに加速回転させ、チェーンホイールが回転軸を介してラチェットを駆動して時計回りに回転させ、位置制限部材がラチェットの時計回りの回転を制限できず、この場合、ディスク及び摩擦部材が慣性のため、反時計回りに回転し続ける。
【００２０】
慣性による氷面滑走方法は、円錐台部内の貫通キャビティの雌ねじがリターンスプリングの圧力作用で回転軸上の雄ねじに当接し、回転軸を時計回りに回転すると、回転軸の雄ねじが貫通キャビティの雌ねじと噛み合うことにより、貫通キャビティの雌ねじが回転軸の雄ねじの他方側に位置してリターンスプリングの作用で当接するまで、円錐台部が位置制限棒に沿ってＨ字型連結フレームから離れる方向へ移動し、円錐台部がＨ字型連結フレームから離れる方向へ移動する場合、台形の位置制限ブロックがディスク及び第１の圧力スプリングの作用で回転軸から離れることにより、摩擦部材が棒軸の周りに回転して、摩擦部材の摩擦端がディスクと環状ディスクの間に螺入し、回転している摩擦部材と氷面との力の作用を解除して、滑走具の抵抗を解除することにより、滑走がより持続的になる。
【００２１】
好ましくは、氷面滑走具によって実現される。
【００２２】
氷面滑走緊急減速方法は、手動チェーンホイールを両手で反時計回りにゆっくりと回転させ、手動チェーンホイールがチェーンを駆動し、かつステアリングギアのステアリング作用でチェーンホイールを駆動して反時計回りに加速回転させ、チェーンホイールが回転軸を介してラチェットを駆動して反時計回りに回転させ、位置制限部材によるラチェットの位置制限作用でディスクを駆動して反時計回りに加速回転させ、ディスクが円筒部、連結板及び環状ディスクを介して伝動棒及び摩擦部材を駆動して反時計回りに加速回転させ、回転軸を反時計回りに回転すると、回転軸の雄ねじが貫通キャビティの雌ねじと噛み合うことにより、貫通キャビティの雌ねじが回転軸の雄ねじの他方側に位置してリターンスプリングの作用で当接するまで、円錐台部が位置制限棒に沿ってＨ字型連結フレームに近づく方向へ移動し、円錐台部がＨ字型連結フレームに近づく方向へ移動する場合、台形の位置制限ブロックがディスク及び第１の圧力スプリングの作用で回転軸に近づくことにより、摩擦部材が棒軸の周りに回転して、摩擦部材の摩擦端がディスクと環状ディスクの間から螺出して、氷面と力の作用を生じさせ、手動チェーンホイールをゆっくりと回転させることにより、氷面と作用するときの摩擦部材の線速度が滑走具の滑走速度より小さい場合、摩擦部材の回転により滑走具に動力ではなく、抵抗を提供して、滑走具を減速する。
【００２３】
好ましくは、氷面滑走具によって実現される。
【００２４】
本発明の有益な効果は以下のとおりである。
【００２５】
１）ユーザは、滑走具を運転している場合、手動チェーンホイールを反時計回りに加速回転させる必要があり、チェーンを介して推進装置を反時計回りに回転させると同時に、推進装置のサイズを増加させて氷面に当接させ、氷面により推進装置に前向きの力が作用して、滑走具を推進して前向きに滑走させ、速度が一定期間増加した後、手動チェーンホイールの加速回転を停止するか又は人で手動チェーンホイールの加速回転を積極的に停止する必要があり、手動チェーンホイールが推進装置を加速できない場合、推進装置が慣性のため、反時計回りに回転し続けることができ、この場合、氷面により推進装置に前向きの力が作用して、滑走具を推進し続けて滑走させ、推進装置が滑走具に動力を提供できず、氷面により推進装置に後向きの力が作用して、滑走具の滑走に抵抗作用を提供し、この場合、手動チェーンホイールを手動で時計回りに回転させて、チェーンを介して推進装置のサイズを低減して氷面から分離し、推進装置が氷面から分離すると、推進装置と氷面の作用を解除することにより、滑走具は、滑走段階において滑走距離がより長く、持続性がより高く、氷面滑走を十分に楽しむことができ、手動操作により、動力が持続的になり、安全で信頼性が高く、氷雪の観光産業の発展のニーズに十分に適して、広く普及できる。
【００２６】
２）本発明のユーザは、手動チェーンホイールを手動で反時計回りに回転させると、推進装置を駆動して滑走具の加速段階に動力を提供し、手動チェーンホイールを手動で時計回りに回転させると、推進装置による抵抗を解除できるという特徴を効果的に組み合わせて、緊急時に滑走具を減速する必要がある場合、手動チェーンホイールを両手で反時計回りにゆっくりと回転させ、手動チェーンホイールがチェーンを駆動し、かつステアリングギアのステアリング作用で滑走具に抵抗を提供して、速度を低減して突発的な事態に対処することができる。
【００２７】
３）手動チェーンホイールを手動で制御して、滑走具に動力を提供し抵抗を解除し、電動機、内燃機関等の形態の動力方式に取って代わり、寒い気候で存在している電力消費が高く、電気が漏れ、数多くの滑走具を充電する必要があるという問題を解決し、かつ内燃機関からの排ガスの問題を解決し、本滑走具のユーザは自分の速度を自分で手動で制御できるため、運動効果を達成するだけでなく、氷面滑走を十分に楽しむことができる。
【００２８】
４）本発明は、ラチェットを回転軸に固定し、回転軸が反時計回りに回転するとラチェットを駆動して反時計回りに回転させ、位置制限部材がラチェットの反時計回りの回転を制限するため、位置制限部材がラチェットとともに回転して、位置制限部材がディスクを駆動してともに反時計回りに回転し、かつラチェットに噛み合う２つの位置制限部材が設けられて、安定性を保証することを前提としてコストを節約し、回転軸が時計回りに回転するとラチェットを駆動して時計回りに回転させ、位置制限部材がラチェットの時計回りの回転を制限できないため、位置制限部材がラチェットとともに回転できず、加速段階を完了すると、滑走段階に進み、手動チェーンホイールを時計回りに回転させて回転装置と氷面との力の作用を解除する場合、位置制限部材及びラチェットの作用により、手動チェーンホイールが反時計回りの回転から時計回りの回転に変更する場合、慣性のため反時計回りに回転し続けるディスクによる大きな衝撃を克服する必要がないため、手動チェーンホイールの反時計回りの回転から時計回りの回転への調整は迅速で省力する。
【００２９】
５）本発明の摩擦部材は、伝動棒によりヒンジマウントを介してスラットを制御して棒軸の周りに回転させ、円錐台部の位置が安定した後、台形の位置制限ブロックと伝動棒の位置が一定になり、伝動棒によりスラットの位置及び角度が一定になることにより、Ｕ字型フレームを制御してディスクと環状ディスクの間に対して螺入させたり螺出させたりすることができ、Ｕ字型フレームがディスクと環状ディスクの間から螺出する場合、氷面に接触する前に、氷面からの高さが先に低減し、次に増加し、Ｕ字型フレームの２つの垂直側壁にいずれもストリップ状キャビティが開口し、位置制限ストリップがストリップ状キャビティと係合することにより、Ｕ字型フレームがスラットの方向に沿って自由に移動して、氷面からの摩擦部材の高さの変化に適応することができ、また、第３の圧力スプリングの作用で、摩擦部材の高さの変化に適応することを保証するだけでなく、氷面との力の作用を保証し、かつ力の作用が氷面との接触から氷面からの分離まで常に存在して、滑走具に動力を最大限に提供する。
【図面の簡単な説明】
【００３０】
【図１】本発明に係る氷面滑走具の概略構成図である。
【図２】Ｕ字型棒部材、座板及び手動チェーンホイールの組み合わせの上面図である。
【図３】推進装置が氷面と作用力を生じることができる場合の概略図である。
【図４】推進装置が氷面と作用力を生じることができる場合の一部断面側面図である。
【図５】推進装置が氷面と作用力を生じない場合の概略図である。
【図６】推進装置が氷面と作用力を生じない場合の一部断面側面図である。
【図７】ディスク、ラチェット及び位置制限部材の組み合わせの側面図である。
【図８】回転装置の概略構成図である。
【図９】位置調整装置の概略構成図である。
【図１０】位置制限部材の概略構成図である。
【図１１】摩擦部材の構造の側面図である。
【図１２】摩擦部材の概略構成図である。
【図１３】実施形態６の概略図である。
【００３１】
図中、１−座板、２−Ｕ字型棒部材、３−滑走板、４−Ｈ字型連結フレーム、５−推進装置、５−１−回転軸、５−２−チェーンホイール、５−３−回転装置、５−３−１−ディスク、５−３−２−ラチェット、５−３−３−位置制限部材、５−３−３−１−固定ブロック、５−３−３−２−連結棒、５−３−３−３−第２の圧力スプリング、５−３−３−４−ストッパ片、５−３−３−５−位置制限ブロック、５−３−４−円筒部、５−３−５−連結板、５−３−６−環状ディスク、５−３−７−伝動棒、５−３−８−台形の位置制限ブロック、５−３−９−第１の圧力スプリング、５−３−１０−摩擦部材、５−３−１０−１−スラット、５−３−１０−２−位置制限ストリップ、５−３−１０−３−Ｕ字型フレーム、５−３−１０−４−ストリップ状キャビティ、５−３−１０−５−第３の圧力スプリング、５−４−位置調整装置、５−４−１−円錐台部、５−４−２−貫通キャビティ、５−４−３−位置制限キャビティ、５−４−４−位置制限棒、５−４−５−リターンスプリング、６−手動チェーンホイール、７−ステアリングギア。
【発明を実施するための形態】
【００３２】
実施形態１
図１、図２、図３及び図５に示すように、本実施例に開示された氷面滑走具は、座板１、Ｕ字型棒部材２、滑走板３、Ｈ字型連結フレーム４、推進装置５、手動チェーンホイール６及びステアリングギア７を含み、前記座板１の上端面の一端に背もたれが設けられ、前記座板１の他端の側壁にＵ字型棒部材２が設けられ、前記座板１の下端に２枚の滑走板３が平行かつ対称的に設けられ、滑走板３がＨ字型連結フレーム４を介して座板１の下端面に連結され、２つのＨ字型連結フレーム４の間に推進装置５が回転可能に設けられ、前記手動チェーンホイール６が支持棒を介してＵ字型棒部材２の上端に設けられ、前記手動チェーンホイール６と推進装置５がチェーンを介して接続され、チェーンがＵ字型棒部材２をを通ってステアリングギア７に噛み合い、手動チェーンホイール６を手動で反時計回りに回転させて推進装置５を駆動して、滑走具の加速段階に動力を提供し、手動チェーンホイール６を手動で時計回りに回転させて、推進装置５による滑走具の滑走段階における抵抗を解除し、ユーザは、滑走具を運転している場合、手動チェーンホイール６を反時計回りに加速回転させる必要があり、滑走具の速度が０から徐々に増加する段階を加速段階と定義し、この段階において、推進装置５が回転する線速度が滑走板３の滑走速度より大きく、チェーンを介して推進装置５を反時計回りに回転させると同時に、推進装置５のサイズを増加させて氷面に当接させ、氷面により推進装置５に前向きの力が作用して、滑走具を推進して前向きに滑走させ、速度が一定期間増加した後、手動チェーンホイール６の加速回転を停止するか又は人で手動チェーンホイール６の加速回転を積極的に停止する必要がある段階を、滑走段階と定義し、手動チェーンホイール６が推進装置５を加速できない場合、推進装置５が慣性のため、反時計回りに回転し続けることができ、この場合、氷面により推進装置５に前向きの力が作用して、滑走具を推進し続けて滑走させ、この場合、推進装置５の線速度が低減するが、滑走具の速度が徐々に増加し、滑走具の速度が推進装置５の線速度より大きい場合、推進装置５が滑走具に動力を提供できず、氷面により推進装置に後向きの力が作用して、滑走具の滑走に抵抗作用を提供して、装置は十分かつ効果的に滑走できず、手動チェーンホイール６を手動で時計回りに回転させて、チェーンを介して推進装置５のサイズを低減して氷面から分離し、推進装置５が氷面から分離すると、推進装置５と氷面の作用を解除することにより、滑走具は、滑走段階において、滑走距離がより長く、持続性がより高く、氷面滑走を十分に楽しむことができ、ユーザは、手動チェーンホイール６を手動で反時計回りに回転させると、推進装置５を駆動して滑走具の加速段階に動力を提供し、手動チェーンホイール６を手動で時計回りに回転させると、推進装置５による滑走具の滑走段階における抵抗を解除できるという滑走具の特徴を効果的に組み合わせて、緊急時に滑走具を減速する必要がある場合、手動チェーンホイール６を両手で反時計回りにゆっくりと回転させ、手動チェーンホイール６がチェーンを駆動し、かつステアリングギア７のステアリング作用で滑走具に抵抗を提供し、手動チェーンホイール６を手動で制御して、滑走具に動力を提供し抵抗を解除し、電動機、内燃機関等の形態の動力方式に取って代わり、寒い気候で存在している電力消費が高く、電気が漏れ、数多くの滑走具を充電する必要があるという問題を解決し、かつ内燃機関からの排ガスの問題を解決し、本滑走具のユーザは自分の速度を自分で手動で制御できるため、運動効果を達成するだけでなく、氷面滑走を十分に楽しむことができ、また、手動操作により、安全で信頼性が高く、推進装置５は、回転軸５−１、チェーンホイール５−２、回転装置５−３及び位置調整装置５−４を含み、前記回転軸５−１が２つのＨ字型連結フレーム４に回転可能に設けられ、前記回転軸５−１に順雄ねじと逆雄ねじが対称的に設けられ、回転軸５−１にチェーンホイール５−２、回転装置５−３及び位置調整装置５−４が設けられ、前記チェーンホイール５−２の両端に、外側に向かって順に回転装置５−３と位置調整装置５−４が対称的に設けられ、位置調整装置５−４は、一端がＨ字型連結フレーム４に連結され、他端が回転装置５−３と協働し、前記回転装置５−３は、回転軸５−１とともに反時計回りに回転するが、回転軸５−１とともに時計回りに回転することができず、２つの位置調整装置５−４間の距離は、回転軸５−１の回転方向を制御することにより制御され、前記回転軸５−１が反時計回りに回転すると、対称的に設けられた２つの位置調整装置５−４間の距離を増加させ、距離が増加した位置調整装置５−４は、回転装置５−３と協働して、回転装置５−３と氷面との力の作用を高めて、滑走具の滑走に動力を提供し、前記回転軸５−１が時計回りに回転すると、対称的に設けられた２つの位置調整装置５−４間の距離を低減し、距離が低減した位置調整装置５−４は、回転装置５−３と協働して、回転装置５−３と氷面との力の作用を解除して、滑走具の滑走抵抗を低減し、手動チェーンホイール６及びチェーンを介してチェーンホイール５−２を駆動することにより、回転軸５−１の時計回りと反時計回りの回転を制御でき、回転軸５−１は回転装置５−３を駆動して反時計回りに回転させることができるが、回転装置５−３を駆動して時計回りに回転させることができず、同時に、回転軸５−１の反時計回りの回転により、２つの位置調整装置５−４間の距離を増加させるように制御でき、回転軸５−１の時計回りの回転により、２つの位置調整装置５−４間の距離を低減するように制御でき、位置調整装置５−４間の距離が増加すると、回転装置５−３の回転半径が増加して、回転装置５−３の最外端が氷面に当接し、かつ力の作用を生じさせて滑走具の加速段階に動力を提供し、位置調整装置５−４間の距離が低減すると、回転装置５−３の回転半径が低減して、回転装置５−３の最外端が氷面から分離し、氷面との力の作用を解除して滑走具の滑走段階における抵抗を低減する。
【００３３】
実施形態２
図３、図４、図５、図６、図７及び図８に示すように、本実施例は実施形態１に基づくものであるが、以下の点で相違する。前記回転装置５−３は、ディスク５−３−１、ラチェット５−３−２、位置制限部材５−３−３、円筒部５−３−４、連結板５−３−５、環状ディスク５−３−６、伝動棒５−３−７、台形の位置制限ブロック５−３−８、第１の圧力スプリング５−３−９及び摩擦部材５−３−１０を含み、前記ディスク５−３−１が軸受を介して回転軸５−１に設けられ、ラチェット５−３−２がディスク５−３−１と回転軸５−１の間に設けられ、ディスク５−３−１の内側壁の中心に２つの位置制限部材５−３−３が対称的に設けられ、位置制限部材５−３−３がラチェット５−３−２に噛み合い、ディスク５−３−１の外側壁が円筒部５−３−４、複数の連結板５−３−５及び棒軸を介して環状ディスク５−３−６に連結され、複数の連結板５−３−５がディスク５−３−１の外側壁に環状に配列され、連結板５−３−５に貫通孔が開口し、円筒部５−３−４の側壁に、複数の連結板５−３−５の貫通孔に対応するように複数の貫通孔が配列して開口し、伝動棒５−３−７は、一端が台形の位置制限ブロック５−３−８に連結され、他端が第１の圧力スプリング５−３−９をを通ってヒンジマウントを介して摩擦部材５−３−１０に連結され、摩擦部材５−３−１０が棒軸に回転可能に設けられ、第１の圧力スプリング５−３−９は、一端が連結板５−３−５に連結され、他端が伝動棒５−３−７上の位置制限片に連結され、ラチェット５−３−２を回転軸５−１に固定し、回転軸５−１が反時計回りに回転するとラチェット５−３−２を駆動して反時計回りに回転させ、位置制限部材５−３−３がラチェット５−３−２の反時計回りの回転を制限するため、位置制限部材５−３−３がラチェット５−３−２とともに回転して、位置制限部材５−３−３がディスク５−３−１を駆動してともに反時計回りに回転し、かつラチェット５−３−２に噛み合う２つの位置制限部材５−３−３が設けられて、安定性を保証することを前提としてコストを節約し、回転軸５−１が時計回りに回転するとラチェット５−３−２を駆動して時計回りに回転させ、位置制限部材５−３−３がラチェット５−３−２の時計回りの回転を制限できないため、位置制限部材がラチェット５−３−２とともに回転できず、加速段階を完了すると、滑走段階に進み、手動チェーンホイール６を時計回りに回転させて回転装置５−３と氷面との力の作用を解除する場合、位置制限部材５−３−３及びラチェット５−３−２の作用により、手動チェーンホイール６が反時計回りの回転から時計回りの回転に変更する場合、慣性のため反時計回りに回転し続けるラチェット５−３−２による大きな衝撃を克服する必要がないため、手動チェーンホイール６の反時計回りの回転から時計回りの回転への調整は迅速で省力し、回転軸５−１の反時計回りの回転により、２つの位置調整装置５−４間の距離を増加させるように制御でき、回転軸５−１の時計回りの回転により、２つの位置調整装置５−４間の距離を低減するように制御でき、位置調整装置５−４間の距離が増加すると、台形の位置制限ブロック５−３−８が第１の圧力スプリング５−３−９の作用で回転軸５−１の方向へ移動でき、台形の位置制限ブロック５−３−８が伝動棒５−３−７を介して摩擦部材５−３−１０を駆動して棒軸５−１の周りに回転させて、環状ディスク５−３−６とディスク５−３−１の間から螺出することにより、摩擦部材５−３−１０が氷面に当接し、かつ力の作用を生じさせて滑走具の加速段階に動力を提供し、回転軸５−１の時計回りの回転により、２つの位置調整装置５−４間の距離を低減するように制御でき、位置調整装置５−４間の距離が低減すると、台形の位置制限ブロック５−３−８が第１の圧力スプリング５−３−９の作用で回転軸５−１から離れる方向へ移動でき、台形の位置制限ブロック５−３−８が伝動棒５−３−７を介して摩擦部材５−３−１０を駆動して棒軸の周りに回転させて、環状ディスク５−３−６とディスク５−３−１の間に螺入することにより、摩擦部材５−３−１０の最外端が氷面から分離し、氷面との力の作用を解除して、滑走具の滑走段階における抵抗を低減する。
【００３４】
実施形態３
図３、図５及び図９に示すように、本実施例は実施形態１に基づくものであるが、以下の点で相違する。前記位置調整装置５−４は、円錐台部５−４−１、位置制限棒５−４−４及びリターンスプリング５−４−５を含み、前記円錐台部５−４−１の中央に貫通キャビティ５−４−２が開口し、貫通キャビティ５−４−２内に雌ねじが設けられ、貫通キャビティ５−４−２の両端に位置制限キャビティ５−４−３が対称的に開口し、平行かつ対称的に設けられた位置制限棒５−４−４は、一端がＨ字型連結フレーム４に設けられ、他端が位置制限キャビティ５−４−３内に設けられ、円錐台部５−４−１は、外側壁が回転軸５−１上のリターンスプリング５−４−５を介してＨ字型連結フレーム４に連結され、傾斜側壁が台形の位置制限ブロック５−３−８に当接し、円錐台部５−４−１内の貫通キャビティ５−４−２の雌ねじと回転軸５−１の雄ねじが当接し、噛み合い、そして分離し、当接し、貫通キャビティ５−４−２の雌ねじと回転軸５−１の雄ねじが完全に噛み合う場合、リターンスプリング５−４−５の弾力が０であり、円錐台部５−４−１の位置によりリターンスプリングが圧縮されるか引っ張られるかを決め、円錐台部５−４−１内の貫通キャビティ５−４−２の雌ねじがリターンスプリング５−４−５の圧力作用で回転軸５−１上の雄ねじに当接し、回転軸５−１を時計回りに回転すると、回転軸５−１の雄ねじが貫通キャビティ５−４−２の雌ねじと噛み合うことにより、貫通キャビティ５−４−２の雌ねじが回転軸５−１の雄ねじの他方側に位置してリターンスプリング５−４−５の引っ張り力の作用で当接するまで、円錐台部５−４−１が位置制限棒５−４−４に沿ってＨ字型連結フレーム４から離れる方向へ移動し、円錐台部５−４−１がＨ字型連結フレーム４から離れる方向へ移動する場合、台形の位置制限ブロック５−３−８が伝動棒５−３−７及び第１の圧力スプリング５−３−９の作用で回転軸５−１から離れることにより、摩擦部材５−３−１０が棒軸の周りに回転して、ディスク５−３−１と環状ディスク５−３−６の間に螺入し、氷面との力の作用を解除し、円錐台部５−４−１内の貫通キャビティ５−４−２の雌ねじがリターンスプリング５−４−５の引っ張り力の作用で回転軸５−１上の雄ねじに当接し、回転軸５−１を反時計回りに回転すると、回転軸５−１の雄ねじが貫通キャビティ５−４−２の雌ねじと噛み合うことにより、貫通キャビティ５−４−２の雌ねじが回転軸５−１の雄ねじの他方側に位置してリターンスプリング５−４−５の引っ張り力の作用で当接するまで、円錐台部５−４−１が位置制限棒５−４−４に沿ってＨ字型連結フレーム４に近づく方向へ移動し、円錐台部５−４−１がＨ字型連結フレーム４に近づく方向へ移動する場合、台形の位置制限ブロック５−３−８が伝動棒５−３−７及び第１の圧力スプリング５−３−９の作用で回転軸５−１に近づくことにより、摩擦部材５−３−１０が棒軸の周りに回転して、ディスク５−３−１と環状ディスク５−３−６の間から螺出して、氷面と接触して力の作用を生じさせる。
【００３５】
実施形態４
図７、図８及び図１０に示すように、本実施例は実施形態２に基づくものであるが、以下の点で相違する。前記位置制限部材５−３−３は、固定ブロック５−３−３−１、連結棒５−３−３−２、第２の圧力スプリング５−３−３−３、ストッパ片５−３−３−４及び位置制限ブロック５−３−３−５を含み、前記固定ブロック５−３−３−１がディスク５−３−１の側壁に設けられ、固定ブロック５−３−３−１に溝が開口し、溝の上端に貫通孔が開口し、前記連結棒５−３−３−２が溝及び貫通孔内に移動可能に設けられ、連結棒５−３−３−２の他端が溝内の圧力スプリング及びストッパ片５−３−３−４を通って位置制限ブロック５−３−３−５に連結され、位置制限ブロック５−３−３−５がラチェット５−３−２に噛み合い、第２の圧力スプリング５−３−３−３の両端がそれぞれ溝の上壁とストッパ片５−３−３−４に連結され、ラチェット５−３−２が反時計回りに回転する場合、位置制限ブロック５−３−３−５とラチェット５−３−２の相対変位が発生できないため、ラチェット５−３−２が位置制限ブロック５−３−３の作用でディスク５−３−１を駆動して反時計回りに回転させ、ラチェット５−３−２が時計回りに回転する場合、位置制限ブロック５−３−３−５とラチェット５−３−２の相対変位が発生できるため、位置制限ブロック５−３−３−５が第２の圧力スプリング５−３−３−３の作用で上下に往復運動し、ラチェット５−３−２が位置制限ブロック５−３−３−５を駆動してともに時計回りに回転する。
【００３６】
実施形態５
図４、図６、図８、図１１及び図１２に示すように、本実施例は実施形態１に基づくものであるが、以下の点で相違する。前記摩擦部材５−３−１０は、スラット５−３−１０−１、位置制限ストリップ５−３−１０−２、Ｕ字型フレーム５−３−１０−３及び第３の圧力スプリング５−３−１０−５を含み、前記棒軸にスラット５−３−１０−１と位置制限ストリップ５−３−１０−２が回転可能に設けられ、スラット５−３−１０−１の両端の側壁に位置制限ストリップ５−３−１０−２が対称的に設けられ、スラット５−３−１０−１の後部側壁がヒンジマウントを介して伝動棒５−３−７に連結され、Ｕ字型フレーム５−３−１０−３がディスク５−３−１と環状ディスク５−３−６との間に移動可能に設けられ、Ｕ字型フレーム５−３−１０−３の２つの垂直側壁にいずれもストリップ状キャビティ５−３−１０−４が開口し、位置制限ストリップ５−３−１０−２がストリップ状キャビティ５−３−１０−４内に移動可能に設けられ、スラット５−３−１０−１の前部側壁が、対称的に設けられた第３の圧力スプリング５−３−１０−５を介してＵ字型フレーム５−３−１０−３の底部内壁に連結され、前記スラット５−３−１０−１の厚さが位置制限ストリップ５−３−１０−２の厚さより大きく、摩擦部材５−３−１０は、伝動棒５−３−７によりヒンジマウントを介してスラット５−３−１０−１を制御して棒軸の周りに回転させ、円錐台部５−４−１の位置が安定した後、台形の位置制限ブロック５−３−８と伝動棒５−３−７の位置が一定になり、伝動棒５−３−７によりスラット５−３−１０−１の位置及び角度が一定になることにより、Ｕ字型フレーム５−３−１０−３を制御してディスク５−３−１と環状ディスク５−３−６の間に対して螺入させたり螺出させたりすることができ、Ｕ字型フレーム５−３−１０−３がディスク５−３−１と環状ディスク５−３−６の間から螺出する場合、氷面に接触する前に、氷面からの高さが先に低減し、次に増加し、Ｕ字型フレーム５−３−１０−３の２つの垂直側壁にいずれもストリップ状キャビティ５−３−１０−４が開口し、位置制限ストリップ５−３−１０−２がストリップ状キャビティ５−３−１０−４と係合することにより、Ｕ字型フレーム５−３−１０−３がスラット５−３−１０−１の方向に沿って自由に移動して、氷面からの摩擦部材５−３−１０の高さの変化に適応することができ、また、第３の圧力スプリング５−３−１０−５の作用で、摩擦部材５−３−１０の高さの変化に適応することを保証するだけでなく、氷面との力の作用を保証し、かつ力の作用が氷面との接触から氷面からの分離まで常に存在して、滑走具に動力を最大限に提供し、スラット５−３−１０−１の厚さが位置制限ストリップ５−３−１０−２の厚さより大きくなることにより、Ｕ字型フレーム５−３−１０−３が位置制限ストリップ５−３−１０−２の方向に沿って安定的に移動することを保証する。
【００３７】
実施形態６
図１３に示すように、本実施例は実施形態２に基づくものであるが、以下の点で相違する。
ディスク５−３−１及び環状ディスク５−３−６が回転時に氷面と摩擦することを防止するために、前記ディスク５−３−１及び環状ディスク５−３−６の最下点が滑走板３の下端面より高い。
【００３８】
実施形態７
本実施例に開示された氷面滑走方法は、実施形態１〜６の氷面滑走具に作用されるものであり、滑走具を氷面に置き、ユーザが座板１に座って、氷面から両足を離し、手動チェーンホイール６の回転レバーを両手で握るステップａと、両手で手動チェーンホイール６を反時計回りに加速回転させ、手動チェーンホイール６がチェーンを駆動し、かつステアリングギア７のステアリング作用でチェーンホイール５−２を駆動して反時計回りに加速回転させ、チェーンホイール５−２が回転軸５−１を介してラチェット５−３−２を駆動して反時計回りに回転させ、位置制限部材５−３−３によるラチェット５−３−２の位置制限作用でディスク５−３−１を駆動して反時計回りに加速回転させ、ディスク５−３−１が円筒部５−３−４、連結板５−３−５及び環状ディスク５−３−６を介して伝動棒５−３−７及び摩擦部材５−３−１０を駆動して反時計回りに加速回転させるステップｂと、円錐台部５−４−１内の貫通キャビティ５−４−２の雌ねじがリターンスプリング５−４−５の引っ張り力の作用で、回転しない回転軸５−１上に設けられた雄ねじに当接して、円錐台部５−４−１のＨ字型連結フレーム４への移動を制限し、回転軸５−１を反時計回りに回転すると、回転軸５−１の雄ねじが貫通キャビティ５−４−２の雌ねじと噛み合うことにより、貫通キャビティ５−４−２の雌ねじが回転軸５−１の雄ねじの他方側に位置してリターンスプリング５−４−５の作用で当接するまで、円錐台部５−４−１が位置制限棒５−４−４に沿ってＨ字型連結フレーム４の方向へ移動し、円錐台部５−４−１がＨ字型連結フレーム４に近づく方向へ移動する場合、台形の位置制限ブロック５−３−８がディスク５−３−１及び第１の圧力スプリング５−３−９の作用で回転軸５−１に近づくことにより、摩擦部材５−３−１０が棒軸の周りに回転して、摩擦部材５−３−１０の摩擦端がディスク５−３−１と環状ディスク５−３−６の間から螺出し、螺出した摩擦部材５−３−１０の最外端が、回転軸５−１の反時計回りの回転により、加速回転している摩擦部材５−３−１０と氷面とに力の作用を生じさせ、氷面と作用するときの摩擦部材５−３−１０の線速度が滑走具の滑走速度より大きい場合、摩擦部材５−３−１０の回転により滑走具に動力を提供し、滑走具の速度が０から徐々に増加して加速滑走するステップｃと、速度が一定期間増加した後、滑走具が滑走する必要がある場合、摩擦部材５−３−１０が慣性のため、ディスク５−３−１及び環状ディスク５−３−６とともに反時計回りに回転し続け、摩擦部材５−３−１０と氷面とに依然として力の作用を生じさせ、氷面と作用するときの摩擦部材５−３−１０の線速度が滑走具の滑走速度より小さい場合、摩擦部材５−３−１０の回転により滑走具に動力ではなく、抵抗を提供し、この場合、両手で手動チェーンホイール６を時計回りに高速回転させ、手動チェーンホイール６がチェーンを駆動し、かつステアリングギア７のステアリング作用でチェーンホイール５−２を駆動して時計回りに加速回転させ、チェーンホイール５−２が回転軸５−１を介してラチェット５−３−２を駆動して時計回りに回転させ、位置制限部材５−３−３がラチェット５−３−２の時計回りの回転を制限できず、この場合、ディスク５−３−１及び摩擦部材５−３−１０が慣性のため、反時計回りに回転し続けるステップｄと、円錐台部５−４−１内の貫通キャビティ５−４−２の雌ねじがリターンスプリング５−４−５の圧力作用で回転軸５−１上の雄ねじに当接し、回転軸５−１を時計回りに回転すると、回転軸５−１の雄ねじが貫通キャビティ５−４−２の雌ねじと噛み合うことにより、貫通キャビティ５−４−２の雌ねじが回転軸５−１の雄ねじの他方側に位置してリターンスプリング５−４−５の作用で当接するまで、円錐台部５−４−１が位置制限棒５−４−４に沿ってＨ字型連結フレーム４から離れる方向へ移動し、円錐台部５−４−１がＨ字型連結フレーム４から離れる方向へ移動する場合、台形の位置制限ブロック５−３−８がディスク５−３−１及び第１の圧力スプリング５−３−９の作用で回転軸５−１から離れることにより、摩擦部材５−３−１０が棒軸の周りに回転して、摩擦部材５−３−１０の摩擦端がディスク５−３−１と環状ディスク５−３−６の間に螺入し、回転している摩擦部材５−３−１０と氷面との力の作用を解除して、滑走具の抵抗を解除することにより、滑走がより持続的になるステップｅと、緊急時に滑走具を減速する必要がある場合、手動チェーンホイール６を両手で反時計回りにゆっくりと回転させ、手動チェーンホイール６がチェーンを駆動し、かつステアリングギア７のステアリング作用でチェーンホイール５−２を駆動して反時計回りに加速回転させ、チェーンホイール５−２が回転軸５−１を介してラチェット５−３−２を駆動して反時計回りに回転させ、位置制限部材５−３−３によるラチェット５−３−２の位置制限作用でディスク５−３−１を駆動して反時計回りに加速回転させ、ディスク５−３−１が円筒部５−３−４、連結板５−３−５及び環状ディスク５−３−６を介して伝動棒５−３−７及び摩擦部材５−３−１０を駆動して反時計回りに加速回転させ、回転軸５−１を反時計回りに回転すると、回転軸５−１の雄ねじが貫通キャビティ５−４−２の雌ねじと噛み合うことにより、貫通キャビティ５−４−２の雌ねじが回転軸５−１の雄ねじの他方側に位置してリターンスプリング５−４−５の作用で当接するまで、円錐台部５−４−１が位置制限棒５−４−４に沿ってＨ字型連結フレーム４に近づく方向へ移動し、円錐台部５−４−１がＨ字型連結フレーム４に近づく方向へ移動する場合、台形の位置制限ブロック５−３−８がディスク５−３−１及び第１の圧力スプリング５−３−９の作用で回転軸５−１に近づくことにより、摩擦部材５−３−１０が棒軸の周りに回転して、摩擦部材５−３−１０の摩擦端がディスク５−３−１と環状ディスク５−３−６の間から螺出して、氷面と力の作用を生じさせ、手動チェーンホイール６をゆっくりと回転させることにより、氷面と作用するときの摩擦部材５−３−１０の線速度が滑走具の滑走速度より小さい場合、摩擦部材５−３−１０の回転により滑走具に動力ではなく、抵抗を提供して、滑走具を減速するステップｆとを含む。
【００３９】
実施形態８
本実施例に開示された氷面加速滑走方法は、実施形態１〜６の氷面滑走具に作用されるものであり、両手で手動チェーンホイール６を反時計回りに加速回転させ、手動チェーンホイール６がチェーンを駆動し、かつステアリングギア７のステアリング作用でチェーンホイール５−２を駆動して反時計回りに加速回転させ、チェーンホイール５−２が回転軸５−１を介してラチェット５−３−２を駆動して反時計回りに回転させ、位置制限部材５−３−３によるラチェット５−３−２の位置制限作用でディスク５−３−１を駆動して反時計回りに加速回転させ、ディスク５−３−１が円筒部５−３−４、連結板５−３−５及び環状ディスク５−３−６を介して伝動棒５−３−７及び摩擦部材５−３−１０を駆動して反時計回りに加速回転させる。
【００４０】
実施形態９
本実施例に開示された氷面加速滑走方法は、実施形態１〜６の氷面滑走具に作用されるものであり、円錐台部５−４−１内の貫通キャビティ５−４−２の雌ねじがリターンスプリング５−４−５の引っ張り力の作用で、回転しない回転軸５−１上に設けられた雄ねじに当接して、円錐台部５−４−１のＨ字型連結フレーム４への移動を制限し、回転軸５−１を反時計回りに回転すると、回転軸５−１の雄ねじが貫通キャビティ５−４−２の雌ねじと噛み合うことにより、貫通キャビティ５−４−２の雌ねじが回転軸５−１の雄ねじの他方側に位置してリターンスプリング５−４−５の作用で当接するまで、円錐台部５−４−１が位置制限棒５−４−４に沿ってＨ字型連結フレーム４の方向へ移動し、円錐台部５−４−１がＨ字型連結フレーム４に近づく方向へ移動する場合、台形の位置制限ブロック５−３−８がディスク５−３−１及び第１の圧力スプリング５−３−９の作用で回転軸５−１に近づくことにより、摩擦部材５−３−１０が棒軸の周りに回転して、摩擦部材５−３−１０の摩擦端がディスク５−３−１と環状ディスク５−３−６の間から螺出し、螺出した摩擦部材５−３−１０の最外端が、回転軸５−１の反時計回りの回転により、加速回転している摩擦部材５−３−１０と氷面とに力の作用を生じさせ、氷面と作用するときの摩擦部材５−３−１０の線速度が滑走具の滑走速度より大きい場合、摩擦部材５−３−１０の回転により滑走具に動力を提供し、滑走具の速度が０から徐々に増加して加速滑走する。
【００４１】
実施形態１０
本実施例に開示された氷面加速滑走方法は、実施形態１〜６の氷面滑走具に作用されるものであり、摩擦部材５−３−１０が慣性のため、ディスク５−３−１及び環状ディスク５−３−６とともに反時計回りに回転し続け、摩擦部材５−３−１０と氷面とに依然として力の作用を生じさせ、氷面と作用するときの摩擦部材５−３−１０の線速度が滑走具の滑走速度より小さい場合、摩擦部材５−３−１０の回転により滑走具に動力ではなく、抵抗を提供し、この場合、両手で手動チェーンホイール６を時計回りに高速回転させ、手動チェーンホイール６がチェーンを駆動し、かつステアリングギア７のステアリング作用でチェーンホイール５−２を駆動して時計回りに加速回転させ、チェーンホイール５−２が回転軸５−１を介してラチェット５−３−２を駆動して時計回りに回転させ、位置制限部材５−３−３がラチェット５−３−２の時計回りの回転を制限できず、この場合、ディスク５−３−１及び摩擦部材５−３−１０が慣性のため、反時計回りに回転し続ける。
【００４２】
実施形態１１
本実施例に開示された氷面加速滑走方法は、実施形態１〜６の氷面滑走具に作用されるものであり、円錐台部５−４−１内の貫通キャビティ５−４−２の雌ねじがリターンスプリング５−４−５の圧力作用で回転軸５−１上の雄ねじに当接し、回転軸５−１を時計回りに回転すると、回転軸５−１の雄ねじが貫通キャビティ５−４−２の雌ねじと噛み合うことにより、貫通キャビティ５−４−２の雌ねじが回転軸５−１の雄ねじの他方側に位置してリターンスプリング５−４−５の作用で当接するまで、円錐台部５−４−１が位置制限棒５−４−４に沿ってＨ字型連結フレーム４から離れる方向へ移動し、円錐台部５−４−１がＨ字型連結フレーム４から離れる方向へ移動する場合、台形の位置制限ブロック５−３−８がディスク５−３−１及び第１の圧力スプリング５−３−９の作用で回転軸５−１から離れることにより、摩擦部材５−３−１０が棒軸の周りに回転して、摩擦部材５−３−１０の摩擦端がディスク５−３−１と環状ディスク５−３−６の間に螺入し、回転している摩擦部材５−３−１０と氷面との力の作用を解除して、滑走具の抵抗を解除することにより、滑走がより持続的になる。
【００４３】
実施形態１２
本実施例に開示された氷面加速滑走方法は、実施形態１〜６の氷面滑走具に作用されるものであり、手動チェーンホイール６を両手で反時計回りにゆっくりと回転させ、手動チェーンホイール６がチェーンを駆動し、かつステアリングギア７のステアリング作用でチェーンホイール５−２を駆動して反時計回りに加速回転させ、チェーンホイール５−２が回転軸５−１を介してラチェット５−３−２を駆動して反時計回りに回転させ、位置制限部材５−３−３によるラチェット５−３−２の位置制限作用でディスク５−３−１を駆動して反時計回りに加速回転させ、ディスク５−３−１が円筒部５−３−４、連結板５−３−５及び環状ディスク５−３−６を介して伝動棒５−３−７及び摩擦部材５−３−１０を駆動して反時計回りに加速回転させ、回転軸５−１を反時計回りに回転すると、回転軸５−１の雄ねじが貫通キャビティ５−４−２の雌ねじと噛み合うことにより、貫通キャビティ５−４−２の雌ねじが回転軸５−１の雄ねじの他方側に位置してリターンスプリング５−４−５の作用で当接するまで、円錐台部５−４−１が位置制限棒５−４−４に沿ってＨ字型連結フレーム４に近づく方向へ移動し、円錐台部５−４−１がＨ字型連結フレーム４に近づく方向へ移動する場合、台形の位置制限ブロック５−３−８がディスク５−３−１及び第１の圧力スプリング５−３−９の作用で回転軸５−１に近づくことにより、摩擦部材５−３−１０が棒軸の周りに回転して、摩擦部材５−３−１０の摩擦端がディスク５−３−１と環状ディスク５−３−６の間から螺出して、氷面と力の作用を生じさせ、手動チェーンホイール６をゆっくりと回転させることにより、氷面と作用するときの摩擦部材５−３−１０の線速度が滑走具の滑走速度より小さい場合、摩擦部材５−３−１０の回転により滑走具に動力ではなく、抵抗を提供して、滑走具を減速する。
【００４４】
上記の実施形態は、本発明の例示的な説明にすぎず、その保護範囲を限定するものではなく、当業者は本発明を部分的に変更でき、本発明の本質的な精神から逸脱しないかぎり、いずれも本発明の保護範囲内である。
【図１】
2020124499.tif 000003
【図２】
2020124499.tif 000004
【図３】
2020124499.tif 000005
【図４】
2020124499.tif 000006
【図５】
2020124499.tif 000007
【図６】
2020124499.tif 000008
【図７】
2020124499.tif 000009
【図８】
2020124499.tif 000010
【図９】
2020124499.tif 000011
【図１０】
2020124499.tif 000012
【図１１】
2020124499.tif 000013
【図１２】
2020124499.tif 000014
【図１３】
2020124499.tif 000015